(57)【要約】【課題】デジタル放送波の受信品質が変化する場合でも、複数のチューナを効率的に利用することが可能なデジタル放送受信装置を提供する。【解決手段】デジタル放送波の受信品質ＱｏＲに応じて、第１の放送チャンネル（例えば、主放送チャンネル）に割り当てるチューナ１４ａ〜１４ｄの数を制御する。これにより、受信品質ＱｏＲが高いとき、より少ない数のチューナ１４ａ、１４ｂを第１の放送チャンネルに割り当てることにより、チューナ１４ａ〜１４ｄを効率的に活用することが可能となる。また、受信品質ＱｏＲが低いとき、より多い数のチューナ１４ａ〜１４ｄを第１の放送チャンネルに割り当てることで、より安定した受信が可能となる。従って、デジタル放送波の受信品質ＱｏＲが変化する場合でも、複数のチューナ１４ａ〜１４ｄを効率的に利用することが可能となる。【選択図】図１
2010088081.tif 000002
【特許請求の範囲】
【請求項１】
デジタル放送波を受信するアンテナと、
選局されたチャンネル周波数の信号を前記デジタル放送波から抽出して出力する複数のチューナと、
前記チューナが出力した前記信号を復調してトランスポート・ストリームを出力する復調部と、
前記トランスポート・ストリームをデコードし、映像及び音声の少なくとも一方を含むコンテンツ信号を出力するデコーダと、
前記映像及び音声の少なくとも一方を出力するコンテンツ出力部と、
前記デジタル放送波の受信品質を判定する受信品質判定部と、
第１の放送チャンネルに割り当てる前記チューナの数を制御する制御部と
を備えるデジタル放送受信装置であって、
前記制御部は、前記受信品質に応じて前記第１の放送チャンネルに割り当てる前記チューナの数を制御する
ことを特徴とするデジタル放送受信装置。
【請求項２】
請求項１記載のデジタル放送受信装置において、
前記制御部は、前記第１の放送チャンネルに割り当てないチューナが残っているとき、当該チューナを第２の放送チャンネルに割り当てる
ことを特徴とするデジタル放送受信装置。
【請求項３】
請求項２記載のデジタル放送受信装置において、
前記第１の放送チャンネル及び前記第２の放送チャンネルのデジタル放送波は、映像情報を含み、
前記コンテンツ出力部は、表示装置であり、
前記デジタル放送受信装置は、
前記第１の放送チャンネル及び前記第２の放送チャンネルの各映像を前記表示装置に同時に表示させる映像同時表示モードと、前記第１の放送チャンネルの映像を前記表示装置に表示させつつ、前記第１の放送チャンネルとは別の予め設定された少なくとも１つの放送チャンネルのデータ放送を記録するデータ放送記録モードとを備え、
前記映像同時表示モードが選択されており、且つ前記第１の放送チャンネルに割り当てられないチューナが残っているとき、前記映像同時表示モードを実行し、
前記データ放送記録モードが選択されており、且つ前記第１の放送チャンネルに割り当てられないチューナが残っているとき、前記データ放送記録モードを実行する
ことを特徴とするデジタル放送受信装置。
【請求項４】
請求項１〜３のいずれか１項に記載のデジタル放送受信装置において、
前記制御部は、前記受信品質が、前記デジタル放送波を受信するために用いる前記複数のチューナの数を切り替えるために予め設定された閾値より高いとき、より少ない数の前記チューナを前記第１の放送チャンネルに割り当て、前記受信品質が前記閾値より低いとき、より多い数の前記チューナを前記第１の放送チャンネルに割り当てる
ことを特徴とするデジタル放送受信装置。
【発明の詳細な説明】
【技術分野】
【０００１】
この発明は、地上デジタル放送等の放送に用いるデジタル放送受信装置に関する。
【背景技術】
【０００２】
地上デジタル放送には、フルセグメント放送とワンセグメント放送とが含まれる。このうちフルセグメント放送は高解像度の映像や高品質の音声が含まれ固定機器向けであり、ワンセグメント放送は低解像度の映像や低品質の音声が含まれ移動体向けである。
【０００３】
車両等の移動体の中には、ワンセグメント放送のみならず、フルセグメント放送の受信も可能なデジタル放送受信装置を搭載するものがある。このようなデジタル放送受信装置では、受信品質に応じてフルセグメント放送の受信とワンセグメント放送の受信とを切り替えるものがある（特許文献１）。
【０００４】
また、デジタル放送受信装置の中には、複数の番組を１つの画面上に同時表示するもの（特許文献２）、複数の映像を複数の表示装置に同時に且つ選択的に表示するもの（特許文献３）、及びユーザ嗜好に合致する番組が放送される予定であれば、それをユーザに通知するもの（特許文献４）が存在する。
【０００５】
【特許文献１】特開２００７−０９６５０８号公報
【特許文献２】特開２０００−２０９５２１号公報
【特許文献３】特開２００７−０７４０９２号公報
【特許文献４】特開２００４−２８２６３８号公報
【発明の開示】
【発明が解決しようとする課題】
【０００６】
特許文献１に記載された装置では、受信品質の変化に応じた処理がなされるが、チューナの効率的な利用に関し、未だ改善の余地がある。
【０００７】
この発明はこのような課題を考慮してなされたものであり、デジタル放送波の受信品質が変化する場合でも、複数のチューナを効率的に利用することが可能なデジタル放送受信装置を提供することを目的とする。
【課題を解決するための手段】
【０００８】
この発明に係るデジタル放送受信装置は、デジタル放送波を受信するアンテナと、選局されたチャンネル周波数の信号を前記デジタル放送波から抽出して出力する複数のチューナと、前記チューナが出力した前記信号を復調してトランスポート・ストリームを出力する復調部と、前記トランスポート・ストリームをデコードし、映像及び音声の少なくとも一方を含むコンテンツ信号を出力するデコーダと、前記映像及び音声の少なくとも一方を出力するコンテンツ出力部と、前記デジタル放送波の受信品質を判定する受信品質判定部と、第１の放送チャンネルに割り当てる前記チューナの数を制御する制御部とを備えるものであって、前記制御部は、前記受信品質に応じて、前記第１の放送チャンネルに割り当てる前記チューナの数を制御することを特徴とする。
【０００９】
この発明によれば、デジタル放送波の受信品質に応じて、第１の放送チャンネルに割り当てるチューナの数を制御する。これにより、例えば、受信品質が高いとき、より少ない数のチューナを第１の放送チャンネルに割り当てることにより、チューナを効率的に活用することが可能となる。また、受信品質が低いとき、より多い数のチューナを第１の放送チャンネルに割り当てることで、より安定した受信が可能となる。従って、デジタル放送波の受信品質が変化する場合でも、複数のチューナを効率的に利用することが可能となる。
【００１０】
前記制御部は、前記第１の放送チャンネルに割り当てないチューナが残っているとき、当該チューナを第２の放送チャンネルに割り当ててもよい。これにより、複数の放送チャンネルからデジタル放送波を受信し、これらのデジタル放送波を用いた処理が可能となる。
【００１１】
前記第１の放送チャンネル及び前記第２の放送チャンネルのデジタル放送波は、映像情報を含み、前記コンテンツ出力部は、表示装置であり、前記デジタル放送受信装置は、前記第１の放送チャンネル及び前記第２の放送チャンネルの各映像を前記表示装置に同時に表示させる映像同時表示モードと、前記第１の放送チャンネルの映像を前記表示装置に表示させつつ、前記第１の放送チャンネルとは別の予め設定された少なくとも１つの放送チャンネルのデータ放送を記録するデータ放送記録モードとを備え、前記映像同時表示モードが選択されており、且つ前記第１の放送チャンネルに割り当てられないチューナが残っているとき、前記映像同時表示モードを実行し、前記データ放送記録モードが選択されており、且つ前記第１の放送チャンネルに割り当てられないチューナが残っているとき、前記データ放送記録モードを実行してもよい。これにより、第１の放送チャンネルに割り当てられないチューナを利用して、第２の放送チャンネルの映像を第１の放送チャンネルの映像と同時表示したり、予め設定された少なくとも１つの放送チャンネルのデータ放送を随時更新したりすることができる。
【００１２】
前記制御部は、前記受信品質が、前記デジタル放送波を受信するために用いる前記複数のチューナの数を切り替えるために予め設定された閾値より高いとき、より少ない数の前記チューナを前記第１の放送チャンネルに割り当て、前記受信品質が前記閾値より低いとき、より多い数の前記チューナを前記第１の放送チャンネルに割り当ててもよい。
【発明の効果】
【００１３】
この発明によれば、デジタル放送波の受信品質に応じて、第１の放送チャンネルに割り当てるチューナの数を制御する。これにより、例えば、受信品質が高いとき、より少ない数のチューナを第１の放送チャンネルに割り当てることにより、チューナを効率的に活用することが可能となる。また、受信品質が低いとき、より多い数のチューナを第１の放送チャンネルに割り当てることで、より安定した受信が可能となる。従って、デジタル放送波の受信品質が変化する場合でも、複数のチューナを効率的に利用することが可能となる。
【発明を実施するための最良の形態】
【００１４】
Ａ．第１実施形態
１．地上デジタル放送受信装置１０の構成
図１は、この発明の第１実施形態に係る地上デジタル放送受信装置１０（以下「受信装置１０」とも称する。）の回路図である。第１実施形態の受信装置１０は、ＲＦアンテナ１２ａ〜１２ｄと、チューナ１４ａ〜１４ｄを含むチューナ部１４と、復調部１６ａ、１６ｂと、第１切替部１８と、切替制御部２０と、デコーダ２２と、第２切替部２４と、コンテンツ分離部２６ａ、２６ｂと、コンテンツ格納部２８と、コンテンツ合成部３０と、第３切替部３２と、表示部３４とを有する。
【００１５】
ＲＦアンテナ１２ａ〜１２ｄは、それぞれ固定機器向けのデジタルテレビジョン放送（フルセグメント放送）の放送波と、移動体向けのデジタルテレビジョン放送（ワンセグメント放送）の放送波の受信が可能である。チューナ１４ａ〜１４ｄは、選局されたチャンネル周波数（放送チャンネル）の信号のみを抽出する。チューナ１４ａ〜１４ｄにおけるチャンネル周波数の選局は、切替制御部２０からの指令に応じて行われる。本実施形態では、デジタル放送波の指向性を考慮し、１つのデジタル放送波を少なくとも２つのチューナ１４ａ〜１４ｄで受信する。
【００１６】
復調部１６ａは、チューナ１４ａ、１４ｂ又はチューナ１４ａ〜１４ｄにおいて抽出された信号を合成したもの又は当該信号のうちより受信品質が高いものに対して、アナログ／デジタル変換、ＯＦＤＭ復調及び誤り訂正を行う。そして、これらの処理後の信号をデコーダ２２に対して送信する。復調部１６ｂは、チューナ１４ｃ、１４ｄにおいて抽出された信号を合成したもの又は当該信号のうちより受信品質が高いものに対して、アナログ／デジタル変換、ＯＦＤＭ復調及び誤り訂正を行う。そして、これらの処理後の信号を、第１切替部１８を介して又は第１切替部１８及び復調部１６ａを介してデコーダ２２に送信する。
【００１７】
第１切替部１８は、切替制御部２０からの指令に応じて復調部１６ｂからの信号の送信先を、デコーダ２２と復調部１６ａとで切り替える。復調部１６ｂからの信号が第１切替部１８を介してデコーダ２２に送信される場合とは、受信品質が高くチューナ１４ａ、１４ｂとチューナ１４ｃ、１４ｄとが異なる放送波を受信しているときである。復調部１６ｂからの信号が復調部１６ａに送信される場合とは、受信品質が低くチューナ１４ａ、１４ｂとチューナ１４ｃ、１４ｄとが同じ放送波を受信しているときである。これらの詳細は後述する。
【００１８】
切替制御部２０は、デジタル放送波の受信品質及びユーザ設定に応じて第１切替部１８、第２切替部２４及び第３切替部３２の動作を制御する（詳細は後述する。）。切替制御部２０は、ユーザ設定を記憶するメモリ２０ａを備える。
【００１９】
デコーダ２２は、復調部１６ａ、１６ｂにより復調された信号に基づいて、映像情報とデータ放送情報を含むトランスポート・ストリーム（ＴＳ）を生成し、このＴＳをオーディオ信号とビデオ信号に分離する。さらに、デコーダ２２は、オーディオ信号を音声デコードし、ビデオ信号を映像デコードした後、出力する。より具体的には、復調部１６ａ、１６ｂから別々の信号が入力された場合、デコーダ２２は、復調部１６ａからの信号（映像及びデータ放送を含む。）に対して上記処理を行った後、第２切替部２４を介してコンテンツ分離部２６ａに又は第２切替部２４及び第３切替部３２を介して表示部３４に出力する。また、復調部１６ｂからの信号（別の映像及びデータ放送を含む。）に対しても上記処理を行った後、コンテンツ分離部２６ｂに出力する。復調部１６ｂからの信号が復調部１６ａに入力される場合、デコーダ２２に対しては、復調部１６ａのみから信号が入力され、復調部１６ｂから直接の信号入力はない。この場合も上記同様、デコーダ２２は、復調部１６ａからの信号に対して上記処理を行った後、第２切替部２４を介してコンテンツ分離部２６ａに又は第２切替部２４及び第３切替部３２を介して表示部３４に当該信号を出力する。
【００２０】
第２切替部２４は、切替制御部２０からの指令に応じてデコーダ２２からの信号の送信先を、コンテンツ分離部２６ａと第３切替部３２とで切り替える。デコーダ２２からの信号が第２切替部２４を介してコンテンツ分離部２６ａに送信される場合とは、ユーザ設定として「２番組視聴」が選択されている場合（図２Ａ参照）等である。デコーダ２２からの信号が第３切替部３２に送信される場合とは、ユーザ設定として「１番組視聴」（図２Ｂ参照）が選択されている場合等である。これらの詳細は後述する。
【００２１】
コンテンツ分離部２６ａ、２６ｂは、入力された信号に含まれる映像とデータ放送（これらをまとめて「コンテンツ」という。）とを分離し、コンテンツ格納部２８に出力する。すなわち、コンテンツ分離部２６ａは、デコーダ２２から入力された信号（チューナ１４ａ、１４ｂが受信したもの、又はチューナ１４ａ〜１４ｄが受信したもの）に含まれる映像とデータ放送とを分離し、コンテンツ格納部２８に出力する。コンテンツ分離部２６ｂは、デコーダ２２から入力された信号（チューナ１４ｃ、１４ｄが受信したもの）に含まれる映像とデータ放送とを分離し、コンテンツ格納部２８に出力する。
【００２２】
コンテンツ格納部２８は、図示しないランダム・アクセス・メモリ（ＲＡＭ）や不揮発性ＲＡＭ（ＮＶＲＡＭ）を含み、コンテンツ分離部２６ａ、２６ｂから出力された信号に含まれる映像及びデータ放送を記憶する。
【００２３】
コンテンツ合成部３０は、切替制御部２０からの指令に応じてコンテンツ格納部２８からコンテンツを読み出し、必要に応じてコンテンツを合成して第３切替部３２に出力する。
【００２４】
第３切替部３２は、表示部３４に対して入力する信号を、切替制御部２０からの指令に応じて、第２切替部２４からの信号とコンテンツ合成部３０からの信号とで切り替える。第２切替部２４からの信号を表示部３４に入力する場合とは、ユーザ設定として「１番組視聴」が選択されている場合等である。コンテンツ合成部３０からの信号を表示部３４に入力する場合とは、ユーザ設定として「２番組視聴」が選択されている場合等である。これらの詳細は後述する。
【００２５】
表示部３４は、入力信号に含まれる映像及びデータ放送を画面に表示すると共に、入力信号に含まれる音声を出力する。
【００２６】
２．地上デジタル放送受信装置１０の受信方法及び出力方法
（１）概要
第１実施形態の受信装置１０では、デジタル放送波の受信品質及びユーザ設定に応じて受信装置１０の受信方法及び出力方法を変更する。また、受信装置１０では、ユーザ設定として、（ｉ）受信する放送波をフルセグメント放送に固定する設定、（ｉｉ）受信する放送波をワンセグメント放送に固定する設定、（ｉｉｉ）受信品質に応じてフルセグメント放送とワンセグメント放送を自動切替えする設定の３つの設定のいずれかを選択することができる。
【００２７】
さらに、上記（ｉ）〜（ｉｉｉ）のいずれが選択されている場合においても、ユーザ設定として「２番組視聴」と「１番組視聴」とを選択可能である。「２番組視聴」とは、図２Ａに示すように、表示部３４の画面４０に第１の番組（放送チャンネル）の映像（及び必要に応じてデータ放送）を主画面領域４２に表示し、第１の番組の音声を出力すると共に、第２の番組（放送チャンネル）の映像（及び必要に応じてデータ放送）を副画面領域４４に表示する設定である。「１番組視聴」とは、図２Ｂに示すように、表示部３４の画面４０全体に第１の番組の映像（及び必要に応じてデータ放送）を表示し、第１の番組の音声を出力すると共に、第１の放送チャンネルのデジタル放送波をチューナ１４ａ、１４ｂで受信しているとき、チューナ１４ｃ、１４ｄを用いて別の放送チャンネルのデジタル放送波を受信し、当該別の放送チャンネルのデジタル放送波に含まれるデータ放送をサーチする設定である。
【００２８】
図３には、デジタル放送波の受信品質及びユーザ設定に応じて受信装置１０の受信方法及び出力方法を変更する方法の説明図が示されている。
【００２９】
ユーザ設定として、受信する放送波をフルセグメント放送に固定する設定が選択されている場合、図３の左側（領域５０）が用いられる。受信する放送波をワンセグメント放送に固定する設定が選択されている場合、図３の右側（領域５２）が用いられる。受信品質に応じてフルセグメント放送とワンセグメント放送を自動切替えする設定が選択されている場合、図３の領域５０、５２の両方（但し、ユーザ設定に応じて一部を除く。）が用いられる。図３の縦軸は、デジタル放送波の受信品質ＱｏＲを示し、上に行くほど受信品質ＱｏＲが高くなる。
【００３０】
図３の閾値ＴＨ１は、１つのフルセグメント放送を受信するために用いるチューナ１４ａ〜１４ｄの数を切り替えるために予め設定された閾値である。閾値ＴＨ２は、１つのワンセグメント放送を受信するために用いるチューナ１４ａ〜１４ｄの数を切り替えるために予め設定された閾値である。閾値ＴＨ３は、フルセグメント放送を受信できるかどうかを判定するために予め設定された閾値である。閾値ＴＨ４は、ワンセグメント放送を受信できるかどうかを判定するために予め設定された閾値である。
【００３１】
受信する放送波がフルセグメント放送に固定されている場合（領域５０）、受信品質ＱｏＲが閾値ＴＨ１以上であれば、ユーザ設定に応じた受信及び出力がなされる。すなわち、「２番組視聴」が選択されている場合、チューナ１４ａ、１４ｂを用いて第１の放送チャンネルのフルセグメント放送波を受信し、第１の放送チャンネルのフルセグメント放送波に含まれる映像を主画面領域４２に表示し、第１の放送チャンネルのフルセグメント放送波に含まれる音声を出力すると共に、チューナ１４ｃ、１４ｄを用いて第２の放送チャンネルのフルセグメント放送波を受信し、第２の放送チャンネルのフルセグメント放送波に含まれる映像を副画面領域４４に表示する（図３のモードＡ）。
【００３２】
「１番組視聴」が選択されている場合、チューナ１４ａ、１４ｂを用いて第１の放送チャンネルのフルセグメント放送波を受信し、第１の放送チャンネルのフルセグメント放送波に含まれる映像を主画面領域４２に表示し、第１の放送チャンネルのフルセグメント放送波に含まれる音声を出力すると共に、チューナ１４ｃ、１４ｄを用いて１つ又は複数の別の放送チャンネルのフルセグメント放送波を受信し、この別の放送チャンネルのフルセグメント放送波に含まれるデータ放送をサーチする（モードＢ）。例えば、事前に設定された複数の放送チャンネルから電子番組ガイド（ＥＰＧ）を取得する。或いは、事前に設定された複数の放送チャンネルのＥＰＧから事前に設定されたキーワードを含む番組をサーチする。
【００３３】
領域５０において受信品質ＱｏＲが閾値ＴＨ３（ＴＨ３＜ＴＨ１）以上且つ閾値ＴＨ１未満である場合、チューナ１４ａ〜１４ｄを用いて第１の放送チャンネルのフルセグメント放送波を受信し、第１の放送チャンネルのフルセグメント放送波に含まれる映像を主画面領域４２に表示し、第１の放送チャンネルのフルセグメント放送波に含まれる音声を出力する（モードＣ）。
【００３４】
領域５０において受信品質ＱｏＲが閾値ＴＨ３未満である場合、フルセグメント放送波の受信はできないため、表示部３４の画面４０にその旨（受信品質ＱｏＲが低いため、フルセグメント放送を受信できない旨）を表示する。
【００３５】
受信する放送波がワンセグメント放送に固定されている場合（図３の領域５２）、受信品質ＱｏＲが閾値ＴＨ２（ＴＨ３＜ＴＨ２＜ＴＨ１）であれば、ユーザ設定に応じた受信及び出力がなされる。すなわち、「２番組視聴」が選択されている場合、チューナ１４ａ、１４ｂを用いて第１の放送チャンネルのワンセグメント放送波を受信し、第１の放送チャンネルのワンセグメント放送波に含まれる映像を主画面領域４２に表示し、第１の放送チャンネルのワンセグメント放送波に含まれる音声を出力すると共に、チューナ１４ｃ、１４ｄを用いて第２の放送チャンネルのワンセグメント放送波を受信し、第２の放送チャンネルのワンセグメント放送波に含まれる映像を副画面領域４４に表示する（モードＤ）。
【００３６】
「１番組視聴」が選択されている場合、チューナ１４ａ、１４ｂを用いて第１の放送チャンネルのワンセグメント放送波を受信し、第１の放送チャンネルのワンセグメント放送波に含まれる映像を主画面領域４２に表示し、第１の放送チャンネルのワンセグメント放送波に含まれる音声を出力すると共に、チューナ１４ｃ、１４ｄを用いて１つ又は複数の別の放送チャンネルのワンセグメント放送波を受信し、この別の放送チャンネルのワンセグメント放送波に含まれるデータ放送をサーチする（モードＥ）。例えば、事前に設定された複数の放送チャンネルからＥＰＧを取得する。或いは、事前に設定された複数の放送チャンネルのＥＰＧから事前に設定されたキーワードを含む番組をサーチする。
【００３７】
領域５２において受信品質ＱｏＲが閾値ＴＨ４（ＴＨ４＜ＴＨ３）以上且つ閾値ＴＨ２未満である場合、チューナ１４ａ〜１４ｄを用いて第１の放送チャンネルのワンセグメント放送波を受信し、第１の放送チャンネルのワンセグメント放送波に含まれる映像を主画面領域４２に表示し、第１の放送チャンネルのワンセグメント放送波に含まれる音声を出力する（モードＦ）。
【００３８】
領域５２において受信品質ＱｏＲが閾値ＴＨ４未満である場合、ワンセグメント放送波の受信はできないため、表示部３４の画面４０にその旨（受信品質ＱｏＲが低いため、ワンセグメント放送を受信できない旨）を表示する。
【００３９】
受信品質ＱｏＲに応じてフルセグメント放送とワンセグメント放送を切り替える設定が選択されている場合、領域５０、５２を組み合わせた受信及び出力を行う（詳細は後述する。）。
【００４０】
（２）具体的なフロー
図４には、デジタル放送波の受信品質ＱｏＲ及びユーザ設定に応じて受信装置１０の受信方法及び出力方法を変更するフローチャートが示されている。
【００４１】
ステップＳ１において、切替制御部２０は、表示部３４がオンであるかどうかに基づいて、視聴中であるかどうかを判定する。視聴中でない場合（Ｓ１：Ｎｏ）、ステップＳ１の処理を繰り返す。視聴中である場合（Ｓ１：Ｙｅｓ）、ステップＳ２において、切替制御部２０は、復調部１６ａ、１６ｂの出力に基づいて今回の受信品質ＱｏＲ｛例えば、ＢＥＲ（Bit Error Rate）、正受信率、受信電力値｝を算出する。
【００４２】
ステップＳ３において、切替制御部２０は、前回の受信品質ＱｏＲと比較して今回の受信品質ＱｏＲに変化があるかどうかを確認する。ここでいう受信品質ＱｏＲに変化がある場合とは、閾値ＴＨ１〜ＴＨ４のいずれかを跨ぐ変化が起こった場合を指す。より具体的には、フルセグメント放送の受信に固定するユーザ設定が選択されている場合、閾値ＴＨ１又は閾値ＴＨ３を跨ぐ変化が起こった場合を指す。ワンセグメント放送の受信に固定するユーザ設定が選択されている場合、閾値ＴＨ２又は閾値ＴＨ４を跨ぐ変化が起こった場合を指す。フルセグメント放送の受信とワンセグメント放送の受信とを自動切替えする設定が選択されている場合、閾値ＴＨ１〜ＴＨ４のいずれかを跨ぐ変化が起こった場合を指す。なお、今回の受信品質ＱｏＲが最初である場合、当該変化はないものとして取り扱う。
【００４３】
ステップＳ４において、切替制御部２０は、前回のユーザ設定と比べて今回のユーザ設定に変化があるかどうかを判定する。ここでのユーザ設定とは、放送波の受信設定と、視聴番組数の設定と、フルセグメント放送の受信及びデータサーチの優先順位の設定とが含まれる。放送波の受信設定は、上述したように、フルセグメント放送の受信に固定する設定、ワンセグメント放送の受信に固定する設定、又はフルセグメント放送の受信及びワンセグメント放送の受信を自動切替えする設定のいずれかに選択される。視聴番組数の設定は、上述したように、２番組視聴（図２Ａ）又は１番組視聴（図２Ｂ）のいずれかに選択される。フルセグメント放送の受信及びデータサーチの優先順位の設定は、フルセグメント放送の受信及びワンセグメント放送の受信を自動切替えする設定が選択されている際、受信品質ＱｏＲが閾値ＴＨ２以上閾値ＴＨ１未満のときに（図３参照）、フルセグメント放送の１番組を視聴する設定（映像視聴優先モード）、又はワンセグメント放送の１番組を視聴しつつデータサーチを行う設定｛ワンセグメント１番組（２チューナ）及びデータサーチモード｝のいずれかに選択される。各ユーザ設定は、図示しない操作ボタンの操作により変更可能である。受信装置１０の各ユーザ設定のいずれかが変更された場合、切替制御部２０は、今回のユーザ設定に変化があったものと判定する。
【００４４】
続いて、受信品質ＱｏＲに変化があった場合（Ｓ５：Ｙｅｓ）、又は受信品質ＱｏＲに変化はないが（Ｓ５：Ｎｏ）、ユーザ設定に変化があった場合（Ｓ６：Ｙｅｓ）、ステップＳ７において、切替制御部２０は、後述する方法によりデジタル放送波の受信並びに映像、データ放送及び音声の出力を変更する。受信品質ＱｏＲ及びユーザ設定に変化がなかった場合（Ｓ５：Ｎｏ、Ｓ６：Ｎｏ）、ステップＳ８において、切替制御部２０は、現在のデジタル放送波の受信並びに映像、データ放送及び音声の出力を維持する。
【００４５】
図５には、ユーザ設定として、フルセグメント放送の受信に固定する設定が選択されている場合に受信装置１０の受信方法及び出力方法を変更するフローチャート（図４のステップＳ７の詳細）である。
【００４６】
ステップＳ１１において、切替制御部２０は、受信品質ＱｏＲが閾値ＴＨ１以上であるかどうかを判定する。受信品質ＱｏＲが閾値ＴＨ１以上である場合（Ｓ１１：Ｙｅｓ）、ステップＳ１２において、切替制御部２０は、ユーザ設定として２番組視聴が選択されているかどうかを判定する。２番組視聴が選択されている場合（Ｓ１２：Ｙｅｓ）、ステップＳ１３において、切替制御部２０は、フルセグメント２番組モードで受信装置１０を動作させる。
【００４７】
すなわち、切替制御部２０は、チューナ１４ａ、１４ｂに対し、主画面領域４２に表示するものとして選択された主放送チャンネル（第１の放送チャンネル）のフルセグメント放送波を受信するように指令すると共に、チューナ１４ｃ、１４ｄに対し、副画面領域４４に表示するものとして選択された副放送チャンネル（第２の放送チャンネル）のフルセグメント放送波を受信するように指令する。さらに、切替制御部２０は、第１切替部１８に対し、復調部１６ｂからの信号を（復調部１６ａを介さずに）デコーダ２２に直接送信するよう指令する。さらにまた、切替制御部２０は、第２切替部２４に対し、デコーダ２２からの信号をコンテンツ分離部２６ａに送信するよう指令し、第３切替部３２に対し、コンテンツ合成部３０からの信号を表示部３４に出力するよう指令する。加えて、コンテンツ合成部３０に対し、主放送チャンネルの映像及び音声（並びに必要に応じてデータ放送）と副放送チャンネルの映像（及び必要に応じてデータ放送）を表示部３４に対して出力するように指令する。その結果、表示部３４では、２つのフルセグメント放送（主放送チャンネル及び副放送チャンネル）の映像（及び必要に応じてデータ放送）が表示されると共に、主放送チャンネルの音声が出力される。
【００４８】
ステップＳ１２において２番組視聴が選択されていない場合（Ｓ１２：Ｎｏ）、ステップＳ１４において、切替制御部２０は、フルセグメント１番組（２チューナ）及びデータサーチモードで受信装置１０を動作させる。
【００４９】
すなわち、切替制御部２０は、チューナ１４ａ、１４ｂに対し、主放送チャンネル（第１の放送チャンネル）のフルセグメント放送波を受信するように指令すると共に、チューナ１４ｃ、１４ｄに対し、第１の放送チャンネル以外の放送チャンネル｛副放送チャンネル（各放送局）｝のフルセグメント放送波のデータ放送を順次受信するように指令する。さらに、切替制御部２０は、第１切替部１８に対し、復調部１６ｂからの信号をデコーダ２２に直接送信するよう指令する。さらにまた、切替制御部２０は、第２切替部２４に対し、デコーダ２２からの信号をコンテンツ分離部２６ａに送信するよう指令し、第３切替部３２に対し、コンテンツ合成部３０からの信号を表示部３４に出力するよう指令する。加えて、コンテンツ合成部３０に対し、主放送チャンネルの映像及び音声（並びに必要に応じてデータ放送）を表示部３４に対して出力すると共に、副放送チャンネルのうち予め設定されているもののフルセグメント放送波のデータ放送からＥＰＧのデータを取得するように指令する。その結果、表示部３４では、１つのフルセグメント放送（主放送チャンネル）の映像（及び必要に応じてデータ放送）が表示されると共に、主放送チャンネルの音声が出力される。これと並行して、各副放送チャンネル（各放送局）のＥＰＧが取得される。
【００５０】
ステップＳ１１に戻り、受信品質ＱｏＲが閾値ＴＨ１未満である場合（Ｓ１１：Ｎｏ）、ステップＳ１５において、切替制御部２０は、受信品質ＱｏＲが閾値ＴＨ３以上であるかどうかを判定する。受信品質ＱｏＲが閾値ＴＨ３以上である場合（Ｓ１５：Ｙｅｓ）、ステップＳ１６において、切替制御部２０は、フルセグメント１番組（４チューナ）モードで受信装置１０を動作させる。
【００５１】
すなわち、切替制御部２０は、チューナ１４ａ〜１４ｄに対し、主放送チャンネル（第１の放送チャンネル）のフルセグメント放送波を受信するように指令する。さらに、切替制御部２０は、第１切替部１８に対し、復調部１６ｂからの信号を復調部１６ａに送信するよう指令する。さらにまた、切替制御部２０は、第２切替部２４に対し、デコーダ２２からの信号を第３切替部３２に送信するよう指令し、第３切替部３２に対し、第２切替部２４からの信号を表示部３４に出力するよう指令する。その結果、表示部３４では、１つのフルセグメント放送（主放送チャンネル）の映像（及び必要に応じてデータ放送）が表示されると共に、主放送チャンネルの音声が出力される。
【００５２】
ステップＳ１５において受信品質ＱｏＲが閾値ＴＨ３未満である場合（Ｓ１５：Ｎｏ）、フルセグメント放送の受信はできない。そこで、ステップＳ１７において、切替制御部２０は、表示部３４の画面４０にフルセグメント放送の受信ができない旨を表示させる。すなわち、切替制御部２０は、第３切替部３２に対し、コンテンツ合成部３０からの信号を表示部３４に出力するよう指令すると共に、コンテンツ合成部３０に対し、フルセグメント放送の受信ができない旨の表示を出力するよう指令する。この指令を受けたコンテンツ合成部３０は、図示しないメモリに記憶されている当該表示を表示部３４に対して出力する。
【００５３】
図６には、ユーザ設定として、ワンセグメント放送の受信に固定する設定が選択されている場合に受信装置１０の受信方法及び出力方法を変更するフローチャート（図４のステップＳ７の詳細）である。
【００５４】
ステップＳ２１において、切替制御部２０は、受信品質ＱｏＲが閾値ＴＨ２以上であるかどうかを判定する。受信品質ＱｏＲが閾値ＴＨ２以上である場合（Ｓ２１：Ｙｅｓ）、ステップＳ２２において、切替制御部２０は、ユーザ設定として２番組視聴が選択されているかどうかを判定する。２番組視聴が選択されている場合（Ｓ２２：Ｙｅｓ）、ステップＳ２３において、切替制御部２０は、ワンセグメント２番組モードで受信装置１０を動作させる。
【００５５】
すなわち、切替制御部２０は、チューナ１４ａ、１４ｂに対し、主画面領域４２に表示するものとして選択された主放送チャンネル（第１の放送チャンネル）のワンセグメント放送波を受信するように指令すると共に、チューナ１４ｃ、１４ｄに対し、副画面領域４４に表示するものとして選択された副放送チャンネル（第２の放送チャンネル）のワンセグメント放送波を受信するように指令する。さらに、切替制御部２０は、第１切替部１８に対し、復調部１６ｂからの信号を（復調部１６ａを介さずに）デコーダ２２に直接送信するよう指令する。さらにまた、切替制御部２０は、第２切替部２４に対し、デコーダ２２からの信号をコンテンツ分離部２６ａに送信するよう指令し、第３切替部３２に対し、コンテンツ合成部３０からの信号を表示部３４に出力するよう指令する。加えて、コンテンツ合成部３０に対し、主放送チャンネルの映像及び音声（並びに必要に応じてデータ放送）と副放送チャンネルの映像（及び必要に応じてデータ放送）を表示部３４に対して出力するように指令する。その結果、表示部３４では、２つのワンセグメント放送（主放送チャンネル及び副放送チャンネル）の映像（及び必要に応じてデータ放送）が表示されると共に、主放送チャンネルの音声が出力される。
【００５６】
ステップＳ２２において２番組視聴が選択されていない場合（Ｓ２２：Ｎｏ）、ステップＳ２４において、切替制御部２０は、ワンセグメント１番組（２チューナ）及びデータサーチモードで受信装置１０を動作させる。
【００５７】
すなわち、切替制御部２０は、チューナ１４ａ、１４ｂに対し、主放送チャンネル（第１の放送チャンネル）のワンセグメント放送波を受信するように指令すると共に、チューナ１４ｃ、１４ｄに対し、第１の放送チャンネル以外の放送チャンネル｛副放送チャンネル（各放送局）｝のワンセグメント放送波のデータ放送を順次受信するように指令する。さらに、切替制御部２０は、第１切替部１８に対し、復調部１６ｂからの信号をデコーダ２２に直接送信するよう指令する。さらにまた、切替制御部２０は、第２切替部２４に対し、デコーダ２２からの信号をコンテンツ分離部２６ａに送信するよう指令し、第３切替部３２に対し、コンテンツ合成部３０からの信号を表示部３４に出力するよう指令する。加えて、コンテンツ合成部３０に対し、主放送チャンネルの映像及び音声（並びに必要に応じてデータ放送）を表示部３４に対して出力すると共に、副放送チャンネルのうち予め設定されているもののワンセグメント放送波のデータ放送においてＥＰＧのデータを取得するように指令する。その結果、表示部３４では、１つのワンセグメント放送（主放送チャンネル）の映像（及び必要に応じてデータ放送）が表示されると共に、主放送チャンネルの音声が出力される。これと並行して、各副放送チャンネル（各放送局）のＥＰＧが取得される。
【００５８】
ステップＳ２１に戻り、受信品質ＱｏＲが閾値ＴＨ２未満である場合（Ｓ２１：Ｎｏ）、ステップＳ２５において、切替制御部２０は、受信品質ＱｏＲが閾値ＴＨ４以上であるかどうかを判定する。受信品質ＱｏＲが閾値ＴＨ４以上である場合（Ｓ２５：Ｙｅｓ）、ステップＳ２６において、切替制御部２０は、ワンセグメント１番組（４チューナ）モードで受信装置１０を動作させる。
【００５９】
すなわち、切替制御部２０は、チューナ１４ａ〜１４ｄに対し、主放送チャンネル（第１の放送チャンネル）のワンセグメント放送波を受信するように指令する。さらに、切替制御部２０は、第１切替部１８に対し、復調部１６ｂからの信号を復調部１６ａに送信するよう指令する。さらにまた、切替制御部２０は、第２切替部２４に対し、デコーダ２２からの信号を第３切替部３２に送信するよう指令し、第３切替部３２に対し、第２切替部２４からの信号を表示部３４に出力するよう指令する。その結果、表示部３４では、１つのワンセグメント放送（主放送チャンネル）の映像（及び必要に応じてデータ放送）が表示されると共に、主放送チャンネルの音声が出力される。
【００６０】
ステップＳ２５において受信品質ＱｏＲが閾値ＴＨ４未満である場合（Ｓ２５：Ｎｏ）、ワンセグメント放送の受信はできない。そこで、ステップＳ２７において、切替制御部２０は、表示部３４の画面４０にワンセグメント放送の受信ができない旨を表示させる。すなわち、切替制御部２０は、第３切替部３２に対し、コンテンツ合成部３０からの信号を表示部３４に出力するよう指令すると共に、コンテンツ合成部３０に対し、ワンセグメント放送の受信ができない旨の表示を出力するよう指令する。この指令を受けたコンテンツ合成部３０は、図示しないメモリに記憶されている当該表示を表示部３４に対して出力する。
【００６１】
図７には、ユーザ設定として、フルセグメント放送の受信及びワンセグメント放送の受信を自動切替えする設定が選択されている場合に受信装置１０の受信方法及び出力方法を変更するフローチャート（図４のステップＳ７の詳細）である。
【００６２】
ステップＳ３１において、切替制御部２０は、受信品質ＱｏＲが閾値ＴＨ１以上であるかどうかを判定する。受信品質ＱｏＲが閾値ＴＨ１以上である場合（Ｓ３１：Ｙｅｓ）、ステップＳ３２において、切替制御部２０は、ユーザ設定として２番組視聴が選択されているかどうかを判定する。２番組視聴が選択されている場合（Ｓ３２：Ｙｅｓ）、ステップＳ３３において、切替制御部２０は、図５のステップＳ１３と同様に、フルセグメント２番組モードで受信装置１０を動作させる。ステップＳ３２において２番組視聴が選択されていない場合（Ｓ３２：Ｎｏ）、ステップＳ３４において、切替制御部２０は、図５のステップＳ１４と同様に、フルセグメント１番組（２チューナ）及びデータサーチモードで受信装置１０を動作させる。
【００６３】
ステップＳ３１に戻り、受信品質ＱｏＲが閾値ＴＨ１未満である場合（Ｓ３１：Ｎｏ）、ステップＳ３５において、切替制御部２０は、受信品質ＱｏＲが閾値ＴＨ２以上であるかどうかを判定する。受信品質ＱｏＲが閾値ＴＨ２以上である場合（Ｓ３５：Ｙｅｓ）、ステップＳ３６において、切替制御部２０は、ユーザ設定として２番組視聴が選択されているかどうかを判定する。２番組視聴が選択されている場合（Ｓ３６：Ｙｅｓ）、ステップＳ３７において、切替制御部２０は、図６のステップＳ２３と同様に、ワンセグメント２番組モードで受信装置１０を動作させる。ステップＳ３６において２番組視聴が選択されていない場合（Ｓ３６：Ｎｏ）、ステップＳ３８において、切替制御部２０は、映像視聴優先モードが選択されているかどうかを判定する。映像視聴優先モードが選択されている場合（Ｓ３８：Ｙｅｓ）、切替制御部２０は、図５のステップＳ１６と同様に、フルセグメント１番組（４チューナ）モードで受信装置１０を動作させる。映像視聴優先モードが選択されていない場合（Ｓ３８：Ｎｏ）、ステップＳ４０において、切替制御部２０は、図６のステップＳ２４と同様に、ワンセグメント１番組（２チューナ）及びデータサーチモードで受信装置１０を動作させる。
【００６４】
ステップＳ３５に戻り、受信品質ＱｏＲが閾値ＴＨ２未満である場合（Ｓ３５：Ｎｏ）、ステップＳ４１において、切替制御部２０は、受信品質ＱｏＲが閾値ＴＨ３以上であるかどうかを判定する。受信品質ＱｏＲが閾値ＴＨ３以上である場合（Ｓ４１：Ｙｅｓ）、ステップＳ４２において、切替制御部２０は、図５のステップＳ１６と同様に、フルセグメント１番組（４チューナ）モードで受信装置１０を動作させる。
【００６５】
ステップＳ４１において受信品質ＱｏＲが閾値ＴＨ３未満である場合（Ｓ４１：Ｎｏ）、ステップＳ４３において、切替制御部２０は、受信品質ＱｏＲが閾値ＴＨ４以上であるかどうかを判定する。受信品質ＱｏＲが閾値ＴＨ４以上である場合（Ｓ４３：Ｙｅｓ）、ステップＳ４４において、切替制御部２０は、図６のステップＳ２６と同様に、ワンセグメント１番組（４チューナ）モードで受信装置１０を動作させる。受信品質ＱｏＲが閾値ＴＨ４未満である場合（Ｓ４３：Ｎｏ）、ステップＳ４５において、切替制御部２０は、図６のステップＳ２７と同様に、表示部３４の画面４０にワンセグメント放送の受信ができない旨を表示させる。
【００６６】
図８には、図５のステップＳ１４、図６のステップＳ２４及び図７のステップＳ３４、Ｓ４０におけるデータサーチ処理のフローチャートが示されている。
【００６７】
ステップＳ５１において、切替制御部２０は、各副放送チャンネル（各放送局）のフルセグメント放送又はワンセグメント放送波のデータ放送のＥＰＧを、ＲＦアンテナ１２ｃ、１２ｄ及びチューナ１４ｃ、１４ｄを介してサーチ（取得）する。続くステップＳ５２において、切替制御部２０は、ステップＳ５１で取得したＥＰＧを復調部１６ｂ、第１切替部１８、デコーダ２２、コンテンツ分離部２６ｂを介してコンテンツ格納部２８に格納させる。
【００６８】
ステップＳ５３において、切替制御部２０は、コンテンツ合成部３０に対し、コンテンツ格納部２８に格納されているＥＰＧの中に、事前に設定されたお気に入りキーワードに関連する番組が存在するかどうかを確認させる。前記お気に入りキーワードに関連する番組が存在しない場合（Ｓ５３：Ｎｏ）、処理を終了する。前記お気に入りキーワードに関連する番組が存在する場合（Ｓ５３：Ｙｅｓ）、ステップＳ５４において、コンテンツ合成部３０は、ユーザ設定として、前記お気に入りキーワードに関連する番組が新たに見つかったときその内容を表示する設定（新情報表示希望設定）になっているかどうかを確認する。新情報表示希望設定になっている場合（Ｓ５４：Ｙｅｓ）、ステップＳ５５において、コンテンツ合成部３０は、表示部３４の画面４０に表示する映像に、当該新たに見つかった番組の情報を重畳して表示させる。新情報表示希望設定になっていない場合（Ｓ５４：Ｎｏ）、ステップＳ５６において、コンテンツ合成部３０は、当該情報をコンテンツ格納部２８に格納したままとする。
【００６９】
３．具体例
図９は、図５〜図７のフローチャートを受信品質ＱｏＲの一例に適用した場合の説明図である。図９では、時点ｔ１まで受信品質ＱｏＲが閾値ＴＨ１以上であり、時点ｔ１から時点ｔ２までは受信品質ＱｏＲが閾値ＴＨ２以上閾値ＴＨ１未満である。時点ｔ２から時点ｔ３までは受信品質ＱｏＲが閾値ＴＨ１以上であり、時点ｔ３から時点ｔ４までは受信品質ＱｏＲが閾値ＴＨ２以上閾値ＴＨ１未満である。時点ｔ４から時点ｔ５までは受信品質ＱｏＲが閾値ＴＨ３以上閾値ＴＨ２未満であり、時点ｔ５から時点ｔ６までは受信品質ＱｏＲが閾値ＴＨ４以上閾値ＴＨ３未満である。時点ｔ６以降は受信品質ＱｏＲが閾値ＴＨ４未満である。
【００７０】
図９の下側には、ユーザ設定の７つの組合せの場合が示されている。すなわち、上から順に、（ｉ）受信する放送波をフルセグメント放送に固定する設定及び２番組視聴が選択されている場合、（ｉｉ）受信する放送波をフルセグメント放送に固定する設定が選択され、２番組視聴が選択されていない場合、（ｉｉｉ）受信する放送波をワンセグメント放送に固定する設定及び２番組視聴が選択されている場合、（ｉｖ）受信する放送波をワンセグメント放送に固定する設定が選択され、２番組視聴が選択されていない場合、（ｖ）フルセグメント放送とワンセグメント放送を自動切替えする設定及び２番組視聴が選択されている場合、（ｖｉ）フルセグメント放送とワンセグメント放送を自動切替えする設定及び映像視聴優先が選択されている場合、（ｖｉｉ）フルセグメント放送とワンセグメント放送を自動切替えする設定が選択され、２番組視聴及び映像視聴優先が選択されない場合が示されている。なお、図９の各モードＡ〜Ｆの表記は、図３の表記方法に準じている。
【００７１】
また、図９からわかるように、受信品質ＱｏＲには振幅が存在するが、第１実施形態の受信装置１０では、受信品質ＱｏＲの振幅の最低値と各閾値ＴＨ１〜ＴＨ４とを比較する。
【００７２】
４．第１実施形態の効果
以上のように、第１実施形態の受信装置１０では、受信品質ＱｏＲに応じて、第１の放送チャンネル（主放送チャンネル）に割り当てるチューナ１４ａ〜１４ｄの数を制御する。これにより、受信品質ＱｏＲが高いとき、より少ない数のチューナ１４ａ、１４ｂを第１の放送チャンネルに割り当てることにより、チューナ１４ａ〜１４ｄを効率的に活用することが可能となる。また、受信品質ＱｏＲが低いとき、より多い数のチューナ１４ａ〜１４ｄを第１の放送チャンネルに割り当てることで、より安定した受信が可能となる。従って、デジタル放送波の受信品質ＱｏＲが変化する場合でも、複数のチューナ１４ａ〜１４ｄを効率的に利用することが可能となる。
【００７３】
第１実施形態では、切替制御部２０は、第１の放送チャンネル（主放送チャンネル）に割り当てないチューナ１４ｃ、１４ｄが残っているとき、チューナ１４ｃ、１４ｄを第２の放送チャンネル（副放送チャンネル）に割り当てる。これにより、複数の放送チャンネルからデジタル放送波を受信し、これらのデジタル放送波を用いた処理が可能となる。
【００７４】
第１実施形態では、主放送チャンネルに割り当てられないチューナ１４ｃ、１４ｄを利用して、副放送チャンネルの映像を主放送チャンネルの映像と同時表示したり、各副放送チャンネルのデジタル放送波に含まれるデータ放送を随時更新することができる。
【００７５】
第１実施形態では、主放送チャンネルに割り当てられないチューナ１４ｃ、１４ｄを利用して、各副放送チャンネルのデジタル放送波に含まれるデータ放送を随時更新することができると共に、受信品質ＱｏＲが低いときには第１の放送チャンネルの放送をより確実に受信し、表示部３４に出力することができる。
【００７６】
Ｂ．第２実施形態
１．地上デジタル放送受信装置１０Ａの構成
図１０は、この発明の第２実施形態に係る地上デジタル放送受信装置１０Ａ（以下「受信装置１０Ａ」とも称する。）の回路図である。第２実施形態の受信装置１０Ａの構成要素のうち、第１実施形態の受信装置１０と同様の構成要素には、同一の参照符号を付して、その説明を省略する。
【００７７】
第１実施形態の受信装置１０と異なる点として、第２実施形態の受信装置１０Ａは、２つの表示部３４ａ、３４ｂを有する。表示部３４ａは前席用であり、表示部３４ｂは後席用である。これに伴い、受信装置１０Ａは、第４切替部６０及び第５切替部６２を備える。第４切替部６０は、切替制御部２０からの指令に基づいて、コンテンツ分離部２６ｂからの信号をコンテンツ格納部２８又は第５切替部６２に選択的に出力する。第５切替部６２は、切替制御部２０からの指令に基づいて、表示部３４ｂに入力する信号を、第３切替部３２からの信号とするか又は第４切替部６０からの信号とするかを選択する。
【００７８】
第１切替部１８、第２切替部２４、第３切替部３２、第４切替部６０及び第５切替部６２を制御することにより、表示部３４ａ、３４ｂで異なる番組の表示や２番組視聴が可能となる。
【００７９】
例えば、図１１Ａに示すように、主放送チャンネル（第１の放送チャンネル）の番組及び副放送チャンネル（第２の放送チャンネル）の番組の両方を表示部３４ａ、３４ｂに出力することができる。
【００８０】
すなわち、切替制御部２０は、チューナ１４ａ、１４ｂに対し、主放送チャンネルのフルセグメント放送波又はワンセグメント放送波を受信するように指令すると共に、チューナ１４ｃ、１４ｄに対し、副放送チャンネルのフルセグメント放送波又はワンセグメント放送波を受信するように指令する。さらに、切替制御部２０は、第１切替部１８に対し、復調部１６ｂからの信号を（復調部１６ａを介さずに）デコーダ２２に直接送信するよう指令する。さらにまた、切替制御部２０は、第２切替部２４に対し、デコーダ２２からの信号をコンテンツ分離部２６ａに送信するよう指令し、第３切替部３２に対し、コンテンツ合成部３０からの信号を表示部３４ａに出力するよう指令する。加えて、切替制御部２０は、第４切替部６０に対し、コンテンツ分離部２６ｂからの信号をコンテンツ格納部２８に送信するよう指令すると共に、第５切替部６２に対し、第３切替部３２からの信号を表示部３４ｂに入力するよう指令する。さらに、切替制御部２０は、コンテンツ合成部３０に対し、主放送チャンネルの映像及び音声（並びに必要に応じてデータ放送）と副放送チャンネルの映像（及び必要に応じてデータ放送）を表示部３４ａ、３４ｂに対して出力するように指令する。その結果、表示部３４ａ、３４ｂでは、２つのフルセグメント放送（主放送チャンネル及び副放送チャンネル）の映像（及び必要に応じてデータ放送）が表示されると共に、主放送チャンネルの音声が出力される。
【００８１】
また、図１１Ｂに示すように、チューナ１４ａ、１４ｂで受信した主放送チャンネル（第１の放送チャンネル）の番組を表示部３４ａに出力し、チューナ１４ｃ、１４ｄで受信した副放送チャンネル（第２の放送チャンネル）の番組を表示部３４ｂに出力することもできる。
【００８２】
すなわち、切替制御部２０は、チューナ１４ａ、１４ｂに対し、主放送チャンネルのフルセグメント放送波又はワンセグメント放送波を受信するように指令すると共に、チューナ１４ｃ、１４ｄに対し、副放送チャンネルのフルセグメント放送波又はワンセグメント放送波を受信するように指令する。さらに、切替制御部２０は、第１切替部１８に対し、復調部１６ｂからの信号を（復調部１６ａを介さずに）デコーダ２２に直接送信するよう指令する。さらにまた、切替制御部２０は、第２切替部２４に対し、デコーダ２２からの信号をコンテンツ分離部２６ａに送信するよう指令し、第３切替部３２に対し、コンテンツ合成部３０からの信号を表示部３４ａに出力するよう指令する。加えて、切替制御部２０は、第４切替部６０に対し、コンテンツ分離部２６ｂからの信号を第５切替部６２に送信するよう指令すると共に、第５切替部６２に対し、第４切替部６０からの信号を表示部３４ｂに入力するよう指令する。さらに、切替制御部２０は、コンテンツ合成部３０に対し、主放送チャンネルの映像及び音声（並びに必要に応じてデータ放送）を表示部３４ａに対して出力するように指令する。その結果、表示部３４ａでは、主放送チャンネルの映像（及び必要に応じてデータ放送）が表示されると共に、主放送チャンネルの音声が出力される。表示部３４ｂでは、副放送チャンネルの映像（及び必要に応じてデータ放送）が表示されると共に、副放送チャンネルの音声が出力される。
【００８３】
さらに、図１１Ｃに示すように、主放送チャンネルの番組を表示部３４ａ、３４ｂの両方に出力することもできる。すなわち、切替制御部２０は、チューナ１４ａ〜１４ｄに対し、主放送チャンネルのフルセグメント放送波又はワンセグメント放送波を受信するように指令する。さらに、切替制御部２０は、第１切替部１８に対し、復調部１６ｂからの信号を復調部１６ａに送信するよう指令する。さらにまた、切替制御部２０は、第２切替部２４に対し、デコーダ２２からの信号をコンテンツ分離部２６ａに送信するよう指令し、第３切替部３２に対し、コンテンツ合成部３０からの信号を表示部３４ａに出力するよう指令する。加えて、切替制御部２０は、コンテンツ合成部３０に対し、主放送チャンネルの映像及び音声（並びに必要に応じてデータ放送）を表示部３４ａに対して出力するよう指令する。さらに、切替制御部２０は、第５切替部６２に対し、第３切替部３２からの信号を表示部３４ｂに入力するよう指令する。その結果、表示部３４ａ、３４ｂでは、主放送チャンネルの映像（及び必要に応じてデータ放送）が表示されると共に、主放送チャンネルの音声が出力される。なお、上記の代わりに、第２切替部２４の出力を第３切替部３２に送信することも可能である。
【００８４】
２．第２実施形態の効果
第２実施形態に係る受信装置１０Ａでは、第１実施形態に係る受信装置１０の効果に加え、前席の表示部３４ａと後席の表示部３４ｂとで異なる表示を行うことができる。これにより、複数のユーザの好みをより反映した番組を出力可能となる。
【００８５】
Ｃ．変形例
なお、この発明は、上記第１実施形態及び第２実施形態に限らず、この明細書の記載内容に基づき、種々の構成を採り得ることはもちろんである。例えば、以下の構成を採用することができる。
【００８６】
上記各実施形態では、受信装置１０、１０Ａを車両に搭載したが、これに限られず、別の対象に搭載してもよい。例えば、受信装置１０、１０Ａを船舶や航空機等の移動体に用いることもできる。
【００８７】
上記各実施形態では、受信装置１０を地上デジタル放送の受信用に用いたが、その他の放送に用いてもよい。
【００８８】
上記各実施形態では、映像、音声及びデータ放送を出力する構成について述べたが、映像のみ、データ放送のみ又は音声のみ（ラジオ放送）を出力する構成であってもよい。
【００８９】
上記各実施形態では、４つのチューナ１４ａ〜１４ｄに対応させて４つのＲＦアンテナ１２ａ〜１２ｄを設けたが、これに限られず、複数のチューナに１つのＲＦアンテナを対応させて設けてもよい。
【００９０】
上記各実施形態では、１つのデジタル放送波を２つ又は４つのチューナ１４ａ〜１４ｄを用いて受信したが、これに限られず、１つ、３つ又は５つ以上のチューナで１つのデジタル放送波を受信することも可能である。例えば、２つのチューナ１４ａ、１４ｂでは受信が困難となったとき、３つのチューナ１４ａ〜１４ｃを用いて受信をし、さらに受信品質ＱｏＲが低くなったとき、４つのチューナ１４ａ〜１４ｄを用いて受信することもできる。反対に、受信品質ＱｏＲが非常に高いとき、１つのチューナ１４ａを用いて１つのデジタル放送波を受信するように切り替えてもよい。
【００９１】
上記各実施形態では、いずれのモードでも全てのチューナ１４ａ〜１４ｄを使用したが、これに限られない。例えば、上述のように、２つのチューナ１４ａ、１４ｂでは受信が困難となったとき、３つのチューナ１４ａ〜１４ｃを用いて受信をした場合、残りのチューナ１４ｄは動作させないことも可能である。
【００９２】
上記各実施形態では、データサーチ処理として、ＥＰＧの取得及びＥＰＧからユーザの好み（キーワード）に合った番組のサーチを行ったが、その他の処理を行うことも可能である。例えば、キーワードに合った番組を検出した場合、当該番組を録画することも可能である。或いは、データサーチ処理の代わりに、ユーザが選択した番組を録画してもよい。
【図面の簡単な説明】
【００９３】
【図１】この発明の第１実施形態に係る地上デジタル放送受信装置の回路図である。
【図２】図２Ａは、前記地上デジタル放送受信装置で出力される２番組視聴画面の一例である。図２Ｂは、前記地上デジタル放送受信装置で出力される１番組視聴画面の一例である。
【図３】デジタル放送波の受信品質及びユーザ設定に応じて前記地上デジタル放送受信装置の受信方法及び出力方法を変更する方法の説明図である。
【図４】デジタル放送波の受信品質及びユーザ設定に応じて前記地上デジタル放送受信装置の受信方法及び出力方法を変更するフローチャートである。
【図５】ユーザ設定として、フルセグメント放送の受信に固定する設定が選択されている場合に前記地上デジタル放送受信装置の受信方法及び出力方法を変更するフローチャートである。
【図６】ユーザ設定として、ワンセグメント放送の受信に固定する設定が選択されている場合に前記地上デジタル放送受信装置の受信方法及び出力方法を変更するフローチャートである。
【図７】ユーザ設定として、フルセグメント放送の受信とワンセグメント放送の受信の自動切替えをする設定が選択されている場合に前記地上デジタル放送受信装置の受信方法及び出力方法を変更するフローチャートである。
【図８】データサーチ処理のフローチャートである。
【図９】図５〜図７のフローチャートを受信品質の一例に適用した場合の説明図である。
【図１０】この発明の第２実施形態に係る地上デジタル放送受信装置の回路図である。
【図１１】図１１Ａは、前記第２実施形態の地上デジタル放送受信装置で出力される２番組視聴画面の一例である。図１１Ｂは、前記第２実施形態の地上デジタル放送受信装置で出力される１番組視聴画面の第１の例である。図１１Ｃは、前記第２実施形態の地上デジタル放送受信装置で出力される１番組視聴画面の第２の例である。
【符号の説明】
【００９４】
１０、１０Ａ…地上デジタル放送受信装置
１２ａ〜１２ｄ…ＲＦアンテナ        １４ａ〜１４ｄ…チューナ
１６ａ、１６ｂ…復調部
２０…切替制御部（制御部、受信品質判定部）
２２…デコーダ
３４、３４ａ、３４ｂ…表示部（コンテンツ出力部）
ＱｏＲ…受信品質
【図１】
2010088081.tif 000003
【図２】
2010088081.tif 000004
【図３】
2010088081.tif 000005
【図４】
2010088081.tif 000006
【図５】
2010088081.tif 000007
【図６】
2010088081.tif 000008
【図７】
2010088081.tif 000009
【図８】
2010088081.tif 000010
【図９】
2010088081.tif 000011
【図１０】
2010088081.tif 000012
【図１１】
2010088081.tif 000013